(57)【特許請求の範囲】
【請求項１】
カラー画像の情報を受信する受信手段と、前記カラー画像及び受信結果のレポートの少なくとも一方の印刷を行う印刷手段とを有する通信端末装置であって、
ファイル単位にカラー画像を区別するため、前記カラー画像情報を受信して印刷する時にのみ前記受信結果のレポートを印刷するように制御する制御手段を備え、
前記制御手段は、モノクロレポート出力設定ありと判断した場合、モノクロ画像生成は１ｓｔページのみか否かを判断し、モノクロ画像生成は１ｓｔページのみであると判断した場合には１ｓｔページのモノクロ画像を生成し、モノクロ画像生成は１ｓｔページのみでないと判断した場合には全ページの集約モノクロ画像を生成することを特徴とする通信端末装置。
【請求項２】
前記制御手段は、前記受信結果のレポートをしおりとして、印刷ファイルの先頭もしくは最後尾に出力することを特徴とする請求項１に記載の通信端末装置。
【請求項３】
前記制御手段は、前記受信結果のレポートの印刷時に前記カラー画像の先頭ページをモノクロ変換して前記レポートに付加することを特徴とする請求項１に記載の通信端末装置。
【請求項４】
前記制御手段は、前記受信結果のレポートの印刷時に送信元情報を前記レポートに記載することを特徴とする請求項１に記載の通信端末装置。
【請求項５】
前記制御手段は、前記受信結果のレポートの印刷時に受信ページ数を記載することを特徴とする請求項１に記載の通信端末装置。
【請求項６】
前記制御手段は、前記受信結果のレポートの印刷時に受信ページ全てを集約してレポート内に印刷することを特徴とする請求項１に記載の通信端末装置。
【請求項７】
カラー画像情報を受信した後、前記カラー画像及び受信結果のレポートの少なくとも一方の印刷を行う通信端末装置の制御方法であって、
ファイル単位にカラー画像を区別するため、前記カラー画像情報を受信して印刷する時にのみ前記レポートを印刷し、モノクロレポート出力設定ありと判断した場合、モノクロ画像生成は１ｓｔページのみか否かを判断し、モノクロ画像生成は１ｓｔページのみであると判断した場合には１ｓｔページのモノクロ画像を生成し、モノクロ画像生成は１ｓｔページのみでないと判断した場合には全ページの集約モノクロ画像を生成することを特徴とする通信端末装置の制御方法。
【請求項８】
前記受信結果のレポートをしおりとして、印刷ファイルの先頭もしくは最後尾に出力することを特徴とする請求項７に記載の通信端末装置の制御方法。
【請求項９】
前記受信結果のレポートの印刷時に前記カラー画像の先頭ページをモノクロ変換して前記レポートに付加することを特徴とする請求項７に記載の通信端末装置の制御方法。
【請求項１０】
前記受信結果のレポートの印刷時に送信元情報を前記レポートに記載することを特徴とする請求項７に記載の通信端末装置の制御方法。
【請求項１１】
前記受信結果のレポートの印刷時に受信ページ数を記載することを特徴とする請求項７に記載の通信端末装置の制御方法。
【請求項１２】
前記受信結果のレポートの印刷時に受信ページ全てを集約して前記レポート内に印刷することを特徴とする請求項７に記載の通信端末装置の制御方法。
【請求項１３】
通信端末装置の実質的なコンピュータに、カラー画像の情報を受信する処理、前記カラー画像及び受信結果のレポートの少なくとも一方の印刷を行う処理を実行させる通信端末装置の制御プログラムであって、
前記コンピュータに、ファイル単位にカラー画像を区別するため、前記カラー画像の情報を受信して印刷する時にのみ前記カラー画像の受信結果のレポートを印刷する処理、モノクロレポート出力設定ありと判断した場合、モノクロ画像生成は１ｓｔページのみか否かを判断する処理、モノクロ画像生成は１ｓｔページのみであると判断した場合には１ｓｔページのモノクロ画像を生成する処理、モノクロ画像生成は１ｓｔページのみでないと判断した場合には全ページの集約モノクロ画像を生成する処理を実行させることを特徴とする通信端末装置の制御プログラム。
【請求項１４】
通信端末装置の実質的なコンピュータに、カラー画像の情報を受信する処理、前記カラー画像及び受信結果のレポートの少なくとも一方の印刷を行う処理を実行させる通信端末装置の制御プログラムを記憶した記憶媒体であって、
前記コンピュータに、ファイル単位にカラー画像を区別するため、前記カラー画像の情報を受信して印刷する時にのみ前記カラー画像の受信結果のレポートを印刷する処理、モノクロレポート出力設定ありと判断した場合、モノクロ画像生成は１ｓｔページのみか否かを判断する処理、モノクロ画像生成は１ｓｔページのみであると判断した場合には１ｓｔページのモノクロ画像を生成する処理、モノクロ画像生成は１ｓｔページのみでないと判断した場合には全ページの集約モノクロ画像を生成する処を実行させる通信端末装置の制御プログラムを記憶したことを特徴とする記憶媒体。
【発明の詳細な説明】
【技術分野】
【０００１】
本発明は、通信端末装置、通信端末装置の制御方法、制御プログラム、及び記憶媒体に関する。
【背景技術】
【０００２】
近年、カラー画像の送受信に対する需要が高まり、これをサポートする通信端末装置の開発が盛んに行われている。インターネットを利用したインターネットファクシミリ装置もその一つである。これは電子メール関連のレポートを出力（画像添付含む）するものである（例えば、特許文献１参照）。
【特許文献１】特開２００２−１９０９３８号公報
【発明の開示】
【発明が解決しようとする課題】
【０００３】
しかしながら、上述した従来技術は、全て送信処理に関するものであり、受信処理については全く考慮されていない。これは、従来はカラー画像情報を受信した場合、カラー画像にキャラクタ印字する等の画像加工は好ましくないと考えられていたため、そのまま印刷することになっており、複数のファイルの情報を受信印刷した場合や、ファイルの情報の受信印刷の前後にコピーを行った場合にはプリンタ出力画像を区別（受信印刷なのかコピーなのかの区別）できないと言う問題があった。
【０００４】
そこで、本発明は、複数のファイルの情報を受信印刷しても、ファイルの情報の受信印刷の前後にコピーを行ってもプリンタ出力画像を区別することができる通信端末装置、通信端末装置の制御方法、制御プログラム、及び記憶媒体を提供することを目的とする。
【課題を解決するための手段】
【０００５】
上記課題を解決するため、請求項１に記載の発明は、カラー画像の情報を受信する受信手段と、前記カラー画像及び受信結果のレポートの少なくとも一方の印刷を行う印刷手段とを有する通信端末装置であって、ファイル単位にカラー画像を区別するため、前記カラー画像情報を受信して印刷する時にのみ前記受信結果のレポートを印刷するように制御する制御手段を備え、前記制御手段は、モノクロレポート出力設定ありと判断した場合、モノクロ画像生成は１ｓｔページのみか否かを判断し、モノクロ画像生成は１ｓｔページのみであると判断した場合には１ｓｔページのモノクロ画像を生成し、モノクロ画像生成は１ｓｔページのみでないと判断した場合には全ページの集約モノクロ画像を生成することを特徴とする。
【０００６】
請求項１に記載の発明によれば、カラー画像の情報を受信して印刷する時にのみカラー画像の受信結果のレポートを印刷することにより、操作者がファイル単位にカラー画像を視覚的に区別することができるので、複数のファイルの情報を受信印刷しても、ファイルの情報の受信印刷の前後にコピーを行ってもプリンタ出力画像を区別することができる。
【０００７】
請求項２に記載の発明は、請求項１に記載の通信端末装置において、前記制御手段は、前記受信結果のレポートをしおりとして、印刷ファイルの先頭もしくは最後尾に出力することを特徴とする。
【０００８】
請求項２に記載の発明によれば、受信結果のレポートをしおりとして、印刷ファイルの先頭もしくは最後尾に出力することにより、操作者がファイル単位にカラー画像を視覚的に区別することができるので、複数のファイルの情報を受信印刷しても、ファイルの情報の受信印刷の前後にコピーを行ってもプリンタ出力画像を区別することができる。
【０００９】
請求項３に記載の発明は、請求項１に記載の通信端末装置において、前記制御手段は、前記受信結果のレポートの印刷時に前記カラー画像の先頭ページをモノクロ変換してレポートに付加することを特徴とする。
【００１０】
請求項３に記載の発明によれば、受信結果のレポートの印刷時にカラー画像の先頭ページをモノクロ変換してレポートに付加することにより、操作者がファイル単位にカラー画像を視覚的に区別することができるので、複数のファイルの情報を受信印刷しても、ファイルの情報の受信印刷の前後にコピーを行ってもプリンタ出力画像を区別することができる。
【００１１】
請求項４に記載の発明は、請求項１に記載の通信端末装置において、前記制御手段は、前記受信結果のレポートの印刷時に送信元情報を前記レポートに記載することを特徴とする。
【００１２】
請求項４に記載の発明によれば、受信結果のレポートの印刷時に送信元情報をレポートに記載することにより、操作者がファイル単位にカラー画像を視覚的に区別することができるので、複数のファイルの情報を受信印刷しても、ファイルの情報の受信印刷の前後にコピーを行ってもプリンタ出力画像を区別することができる。
【００１３】
請求項５に記載の発明は、請求項１に記載の通信端末装置において、前記制御手段は、前記受信結果のレポートの印刷時に受信ページ数を記載することを特徴とする。
【００１４】
請求項５に記載の発明によれば、受信結果のレポートの印刷時に受信ページ数を記載することにより、操作者がファイル単位にカラー画像を視覚的に区別することができるので、複数のファイルの情報を受信印刷しても、ファイルの情報の受信印刷の前後にコピーを行ってもプリンタ出力画像を区別することができる。
【００１５】
請求項６に記載の発明は、請求項１に記載の通信端末装置において、前記制御手段は、前記受信結果のレポートの印刷時に受信ページ全てを集約して前記レポート内に印刷することを特徴とする。
【００１６】
請求項６に記載の発明によれば、受信結果のレポートの印刷時に受信ページ全てを集約してレポート内に印刷することにより、操作者がファイル単位にカラー画像を視覚的に区別することができるので、複数のファイルの情報を受信印刷しても、ファイルの情報の受信印刷の前後にコピーを行ってもプリンタ出力画像を区別することができる。
【００１７】
請求項７に記載の発明は、カラー画像情報を受信した後、前記カラー画像及び受信結果のレポートの少なくとも一方の印刷を行う通信端末装置の制御方法であって、ファイル単位にカラー画像を区別するため、前記カラー画像情報を受信して印刷する時にのみ前記レポートを印刷し、モノクロレポート出力設定ありと判断した場合、モノクロ画像生成は１ｓｔページのみか否かを判断し、モノクロ画像生成は１ｓｔページのみであると判断した場合には１ｓｔページのモノクロ画像を生成し、モノクロ画像生成は１ｓｔページのみでないと判断した場合には全ページの集約モノクロ画像を生成することを特徴とする。
【００１８】
請求項７に記載の発明によれば、カラー画像の情報を受信して印刷する時にのみカラー画像の受信結果のレポートを印刷することにより、操作者がファイル単位にカラー画像を視覚的に区別することができるので、複数のファイルの情報を受信印刷しても、ファイルの情報の受信印刷の前後にコピーを行ってもプリンタ出力画像を区別することができる。
【００１９】
請求項８に記載の発明は、請求項７に記載の発明において、前記受信結果のレポートをしおりとして、印刷ファイルの先頭もしくは最後尾に出力することを特徴とする。
【００２０】
請求項８に記載の発明によれば、受信結果のレポートをしおりとして、印刷ファイルの先頭もしくは最後尾に出力することにより、操作者がファイル単位にカラー画像を視覚的に区別することができるので、複数のファイルの情報を受信印刷しても、ファイルの情報の受信印刷の前後にコピーを行ってもプリンタ出力画像を区別することができる。
【００２１】
請求項９に記載の発明は、請求項７に記載の発明において、前記受信結果のレポートの印刷時に前記カラー画像の先頭ページをモノクロ変換してレポートに付加することを特徴とする。
【００２２】
請求項９に記載の発明によれば、受信結果のレポートの印刷時にカラー画像の先頭ページをモノクロ変換してレポートに付加することにより、操作者がファイル単位にカラー画像を視覚的に区別することができるので、複数のファイルの情報を受信印刷しても、ファイルの情報の受信印刷の前後にコピーを行ってもプリンタ出力画像を区別することができる。
【００２３】
請求項１０に記載の発明は、請求項７に記載の発明において、前記受信結果のレポートの印刷時に送信元情報を前記レポートに記載することを特徴とする。
【００２４】
請求項１０に記載の発明によれば、受信結果のレポートの印刷時に送信元情報をレポートに記載することにより、操作者がファイル単位にカラー画像を視覚的に区別することができるので、複数のファイルの情報を受信印刷しても、ファイルの情報の受信印刷の前後にコピーを行ってもプリンタ出力画像を区別することができる。
【００２５】
請求項１１に記載の発明は、請求項７に記載の発明において、前記受信結果のレポートの印刷時に受信ページ数を記載することを特徴とする。
【００２６】
請求項１１に記載の発明によれば、受信結果のレポートの印刷時に受信ページ数を記載することにより、操作者がファイル単位にカラー画像を視覚的に区別することができるので、複数のファイルの情報を受信印刷しても、ファイルの情報の受信印刷の前後にコピーを行ってもプリンタ出力画像を区別することができる。
【００２７】
請求項１２に記載の発明は、請求項７に記載の発明において、前記受信結果のレポートの印刷時に受信ページ全てを集約してレポート内に印刷することを特徴とする。
【００２８】
請求項１２に記載の発明によれば、受信結果のレポートの印刷時に受信ページ全てを集約してレポート内に印刷することにより、操作者がファイル単位にカラー画像を視覚的に区別することができるので、複数のファイルの情報を受信印刷しても、ファイルの情報の受信印刷の前後にコピーを行ってもプリンタ出力画像を区別することができる。
【００２９】
請求項１３に記載の発明は、通信端末装置の実質的なコンピュータに、カラー画像の情報を受信する処理、前記カラー画像及び受信結果のレポートの少なくとも一方の印刷を行う処理を実行させる通信端末装置の制御プログラムであって、前記コンピュータに、ファイル単位にカラー画像を区別するため、前記カラー画像の情報を受信して印刷する時にのみ前記カラー画像の受信結果のレポートを印刷する処理、モノクロレポート出力設定ありと判断した場合、モノクロ画像生成は１ｓｔページのみか否かを判断する処理、モノクロ画像生成は１ｓｔページのみであると判断した場合には１ｓｔページのモノクロ画像を生成する処理、モノクロ画像生成は１ｓｔページのみでないと判断した場合には全ページの集約モノクロ画像を生成する処理を実行させることを特徴とする。
【００３０】
請求項１３に記載の発明によれば、コンピュータに、ファイル単位にカラー画像を区別するため、カラー画像情報を受信して印刷する時にのみカラー画像の受信結果のレポートを印刷する処理を実行させることにより、操作者がファイル単位にカラー画像を視覚的に区別することができるので、複数のファイルの情報を受信印刷しても、ファイルの情報の受信印刷の前後にコピーを行ってもプリンタ出力画像を区別することができる。
【００３１】
請求項１４に記載の発明は、通信端末装置の実質的なコンピュータに、カラー画像の情報を受信する処理、前記カラー画像及び受信結果のレポートの少なくとも一方の印刷を行う処理を実行させる通信端末装置の制御プログラムを記憶した記憶媒体であって、前記コンピュータに、ファイル単位にカラー画像を区別するため、前記カラー画像の情報を受信して印刷する時にのみ前記カラー画像の受信結果のレポートを印刷する処理、モノクロレポート出力設定ありと判断した場合、モノクロ画像生成は１ｓｔページのみか否かを判断する処理、モノクロ画像生成は１ｓｔページのみであると判断した場合には１ｓｔページのモノクロ画像を生成する処理、モノクロ画像生成は１ｓｔページのみでないと判断した場合には全ページの集約モノクロ画像を生成する処を実行させる通信端末装置の制御プログラムを記憶したことを特徴とする。
【００３２】
請求項１４に記載の発明によれば、コンピュータに、ファイル単位にカラー画像を区別するため、カラー画像情報を受信して印刷する時にのみカラー画像の受信結果のレポートを印刷する処理を実行させる通信端末装置の制御プログラムを記憶した記憶媒体を用いることにより、操作者がファイル単位にカラー画像を視覚的に区別することができるので、複数のファイルの情報を受信印刷しても、ファイルの情報の受信印刷の前後にコピーを行ってもプリンタ出力画像を区別することができる。
【発明の効果】
【００３３】
本発明によれば、カラー画像の情報を受信して印刷する時にのみカラー画像の受信結果のレポートを印刷することにより、操作者がファイル単位にカラー画像を視覚的に区別することができるので、複数のファイルの情報を受信印刷しても、ファイルの情報の受信印刷の前後にコピーを行ってもプリンタ出力画像を区別することができる。
【発明を実施するための最良の形態】
【００３４】
本発明は、カラー画像受信（Mail to Print等）が行なわれ、その結果印刷された画像であることをレポートにより通知するとともに、このレポートにより、ファイル単位もしくは他のアプリが印刷した画像から明示的に分離することを目的とするものである。
【００３５】
本発明に係る通信端末装置の一実施形態は、カラー画像の情報を受信する受信手段と、前記カラー画像及び受信結果のレポート（単に「レポート」ともいう）の少なくとも一方の印刷を行う印刷手段とを有する通信端末装置であって、ファイル単位にカラー画像を区別するため、前記カラー画像情報を受信して印刷する時にのみ前記受信結果のレポートを印刷するように制御する制御手段を備え、前記制御手段は、モノクロレポート出力設定ありと判断した場合、モノクロ画像生成は１ｓｔページのみか否かを判断し、モノクロ画像生成は１ｓｔページのみであると判断した場合には１ｓｔページのモノクロ画像を生成し、モノクロ画像生成は１ｓｔページのみでないと判断した場合には全ページの集約モノクロ画像を生成することを特徴とする。
受信手段としては、例えば、電子メール制御部、網制御装置が挙げられる。印刷手段としては、例えば、プロッタが挙げられる。制御手段としては、例えば、ＣＰＵ（Central Processing Unit：中央演算処理装置）が挙げられる。
【００３６】
本発明に係る通信端末装置の他の実施形態は、上記構成に加え、制御手段は、受信結果のレポートをしおりとして、印刷ファイルの先頭もしくは最後尾に出力してもよく、受信結果のレポートの印刷時にカラー画像の先頭ページをモノクロ変換してレポートに付加してもよい。
【００３７】
本発明に係る通信端末装置の他の実施形態は、上記構成に加え、制御手段は、受信結果のレポートの印刷時に送信元情報をレポートに記載してもよく、レポートの印刷時に受信ページ数を記載してもよい。
【００３８】
本発明に係る通信端末装置の他の実施形態は、上記構成に加え、制御手段は、受信結果のレポートの印刷時に受信ページ全てを集約してレポート内に印刷してもよい。
【００３９】
本発明に係る通信制御端末の制御方法の一実施形態は、カラー画像情報を受信した後、前記カラー画像及び受信結果のレポートの少なくとも一方の印刷を行う通信端末装置の制御方法であって、ファイル単位にカラー画像を区別するため、前記カラー画像情報を受信して印刷する時にのみ前記レポートを印刷し、モノクロレポート出力設定ありと判断した場合、モノクロ画像生成は１ｓｔページのみか否かを判断し、モノクロ画像生成は１ｓｔページのみであると判断した場合には１ｓｔページのモノクロ画像を生成し、モノクロ画像生成は１ｓｔページのみでないと判断した場合には全ページの集約モノクロ画像を生成することを特徴とする。
【００４０】
本発明に係る通信制御端末の制御方法の他の実施形態は、上記構成に加え、受信結果レポートをしおりとして、印刷ファイルの先頭もしくは最後尾に出力してもよく、受信結果レポートの印刷時にカラー画像の先頭ページをモノクロ変換してレポートに付加してもよい。
【００４１】
本発明に係る通信制御端末の制御方法の他の実施形態は、上記構成に加え、受信結果レポートの印刷時に送信元情報をレポートに記載してもよく、レポートの印刷時に受信ページ数を記載してもよい。
【００４２】
本発明に係る通信制御端末の制御方法の他の実施形態は、上記構成に加え、受信結果レポートの印刷時に受信ページ全てを集約してレポート内に印刷してもよい。
【００４３】
本発明に係る通信端末装置の制御プログラムは、通信端末装置の実質的なコンピュータに、カラー画像の情報を受信する処理、前記カラー画像及び受信結果のレポートの少なくとも一方の印刷を行う処理を実行させる通信端末装置の制御プログラムであって、前記コンピュータに、ファイル単位にカラー画像を区別するため、前記カラー画像の情報を受信して印刷する時にのみ前記カラー画像の受信結果のレポートを印刷する処理、モノクロレポート出力設定ありと判断した場合、モノクロ画像生成は１ｓｔページのみか否かを判断する処理、モノクロ画像生成は１ｓｔページのみであると判断した場合には１ｓｔページのモノクロ画像を生成する処理、モノクロ画像生成は１ｓｔページのみでないと判断した場合には全ページの集約モノクロ画像を生成する処理を実行させることを特徴とする。
【００４４】
本発明に係る記憶媒体は、通信端末装置の実質的なコンピュータに、カラー画像の情報を受信する処理、前記カラー画像及び受信結果のレポートの少なくとも一方の印刷を行う処理を実行させる通信端末装置の制御プログラムを記憶した記憶媒体であって、前記コンピュータに、ファイル単位にカラー画像を区別するため、前記カラー画像の情報を受信して印刷する時にのみ前記カラー画像の受信結果のレポートを印刷する処理、モノクロレポート出力設定ありと判断した場合、モノクロ画像生成は１ｓｔページのみか否かを判断する処理、モノクロ画像生成は１ｓｔページのみであると判断した場合には１ｓｔページのモノクロ画像を生成する処理、モノクロ画像生成は１ｓｔページのみでないと判断した場合には全ページの集約モノクロ画像を生成する処を実行させる通信端末装置の制御プログラムを記憶したことを特徴とする。
【００４５】
ここで、記憶媒体としては、例えば、ＣＤ−ＲＯＭ（Compact Disc Read Only Memory）、フレキシブルディスク（ＦＤ）、ＣＤ−Ｒ（CD Recordable）、ＤＶＤ（Digital Versatile Disk）などのコンピュータで読み取り可能な記憶媒体、ＨＤＤ（Hard Disc Driver）、フラッシュメモリ、ＲＡＭ（Random Access Memory）、ＲＯＭ（Read Only Memory）、ＦｅＲＡＭ（強誘電体メモリ）等の半導体メモリが挙げられる。
【００４６】
本実施形態によれば、カラー画像の情報を受信して印刷する時にのみカラー画像の受信結果のレポートを印刷することにより、操作者がファイル単位にカラー画像を視覚的に区別することができるので、複数のファイルの情報を受信印刷しても、ファイルの情報の受信印刷の前後にコピーを行ってもプリンタ出力画像を区別することができる。
【実施例１】
【００４７】
次に本発明に係る実施例について説明する。
図１に、本発明に係る通信端末装置の基本的構成の一例を示す。
基本的には通常のファクシミリ装置等の通信端末装置の構成と同等であり、ファクシミリ信号や電子メールの送受信機能を実現するための構成となる。
すなわち、本通信端末装置１００は、バスライン１０１に、スキャナ１０２、プロッタ１０３、操作表示部１０４、画像メモリ１０５、パラメータメモリ１０６、時計回路１０７、電子メール制御部１０８、ＲＯＭ１０９、ＲＡＭ１１０、キャラクタジェネレータ１１１、符号化複合化部１１２、ＣＰＵ１１３、及び通信制御部１１４が接続されており、ＣＰＵ１１３と通信制御部１１４とに網制御装置１１５が接続され、スキャナ１０２に画像センサ１１６が接され、プロッタ１０３に用紙センサ１１７が接され、パラメータメモリ１０６にバッテリ１１８が接続されたものである。
【００４８】
本通信端末装置１００により受信結果レポートを生成するためには、キャラクタジェネレータ１１１によりキャラクタデータを作成し、更に画像情報を添付する場合にはＣＰＵ１１３及び符号化／復号化部１１２を用いる。また画像メモリ１０５に格納されている画像情報を、符号化／複合化部１１２によりカラー画像情報からモノクロ画像情報への変換が可能である。
【００４９】
図２に、本発明に係る通信端末装置の接続構成の一例を示す。
送信側通信端末装置２００から送信されたFAX/電子メール等の画像情報は、公衆網（PSTN/ISDN）及びインターネット２０１等を経由して受信側通信端末装置２０２に送られるようになっている。
【実施例２】
【００５０】
図３に、カラー/モノクロ種別の登録フローの一例を示す。
この登録フローでは、ＣＰＵ１１３（図１参照）により受信結果レポート出力時の添付画像のカラー／モノクロ種別の登録を行っている。
すなわち、受信ファイルに対するレポート出力を設定すると（ステップＳ３００）、カラー画像受信時のレポート出力設定するか否かの判断を行う（ステップＳ３０１）。カラー画像受信時のレポート出力設定をすると判断した場合（ステップＳ３０１／Ｙｅｓ）にはカラー画像受信時のレポート出力設定がカラーか否かの判断を行う（ステップＳ３０２）。カラー画像受信時のレポート出力設定をしないと判断した場合には（ステップＳ３０１／Ｎｏ）処理を終了する。
ステップＳ３０２でレポート出力設定をカラーにしないと判断した場合（ステップＳ３０２／Ｎｏ）にはモノクロレポート出力に設定し（ステップＳ３０３）、ステップＳ３０２でレポート出力設定をカラーにすると判断した場合（ステップＳ３０２／Ｙｅｓ）にはカラーレポート出力に設定し（ステップＳ３０４）、処理を終了する。
【実施例３】
【００５１】
図４に、カラーからモノクロ変換への処理フローの一例を示す。
この処理フローでは、ＣＰＵ１１３（図１参照）により図３に示した登録されたカラー／モノクロ種別に従って、必要に応じてモノクロ画像が生成される。生成されるモノクロ画像は全ページ集約／１ｓｔページのモノクロ画像が生成される。
すなわち、受信画像の印刷処理を起動すると（ステップＳ４００）、受信画像はカラー画像か否かを判断する（ステップＳ４０１）。受信画像がカラー画像であると判断した場合（ステップＳ４０１／Ｙｅｓ）にはステップＳ４０２へ進み、受信画像がカラー画像ではないと判断した場合（ステップＳ４０１／Ｎｏ）には処理を終了する。
ステップＳ４０２ではモノクロレポート出力設定あるか否かを判断する。モノクロレポート出力設定ありと判断した場合（ステップＳ４０２／Ｙｅｓ）にはステップＳ４０３へ進み、モノクロレポート出力設定なしと判断した場合（ステップＳ４０２／Ｎｏ）には処理を終了する。
ステップＳ４０３ではモノクロ画像生成は１ｓｔページのみか否かを判断する。モノクロ画像生成は１ｓｔページのみであると判断した場合（ステップＳ４０３／Ｙｅｓ）には１ｓｔページのモノクロ画像を生成し（ステップＳ４０４）、モノクロ画像生成は１ｓｔページのみでないと判断した場合（ステップＳ４０３／Ｎｏ）には全ページの集約モノクロ画像を生成し（ステップＳ４０５）、処理を終了する。
【実施例４】
【００５２】
図５に、受信結果レポートの出力フローの一例を示す。
この出力フローではＣＰＵ１１３（図１参照）によりレポートにカラー画像、もしくは生成されたモノクロ画像を添付する。また受信画像（ファイル）出力の前/後のいずれかに出力するかが選択される。受信結果レポート出力は、受信画像（ファイル）出力と非同期に行なわれる場合もある。
すなわち、受信結果レポート出力が起動すると（ステップＳ５００）、レポートに発信元情報を付加するか否かを判断する（ステップＳ５０１）。レポートに発信元情報を付加すると判断した場合（ステップＳ５０１／Ｙｅｓ）には発信元情報を付加し（ステップＳ５０２）、ステップＳ５０３に進み、レポートに発信元情報を付加しないと判断した場合（ステップＳ５０１／Ｎｏ）にはステップＳ５０３に進む。
ステップＳ５０３ではレポートにページ数を付加するか否かを判断する。レポートにページ数を付加すると判断した場合（ステップＳ５０３／Ｙｅｓ）にはページ数を付加し（ステップＳ５０４）、ステップＳ５０５に進み、レポートにページ数を付加しないと判断した場合（ステップＳ５０３／Ｎｏ）にはステップＳ５０５に進む。
ステップＳ５０５では受信ファイルの先頭に印刷するか否かを判断する。受信ファイルの先頭に印刷すると判断した場合（ステップＳ５０５／Ｙｅｓ）、受信ファイルに先立って受信結果レポートを出力し（ステップＳ５０６）、受信ファイルの先頭に印刷しないと判断した場合（ステップＳ５０５／Ｎｏ）、受信ファイル印刷後に受信結果レポートを出力し（ステップＳ５０７）、処理を終了する。
【００５３】
〔作用効果〕
本発明によれば、受信印刷したカラー画像を受信結果レポートによりファイル単位で区別可能とすることが可能となる。
本発明によれば、受信印刷したカラー画像（ファイル）の先頭もしくは最後尾に受信結果のレポートを出力してしおりとすることが可能となる。
本発明によれば、受信結果のレポートに付加されるが情報をモノクロ変換することでランニングコストを低減することが可能となる。
本発明によれば、受信結果のレポートに送信元情報を付加することでユーザの利便性を向上させることが可能となる。
本発明によれば、受信結果のレポートに受信ページ数を付加することで受信画情報の分別を容易にし、ユーザの利便性を向上させることが可能となる。
本発明によれば、受信結果のレポートに受信ページ全てを集約して付加することで受信画情報の分別を容易にし、ユーザの利便性を向上させることが可能となる。
【図面の簡単な説明】
【００５４】
【図１】本発明に係る通信端末装置の基本的構成の一例を示す図である。
【図２】本発明に係る通信端末装置の接続構成の一例を示す図である。
【図３】カラー/モノクロ種別の登録フローの一例である。
【図４】カラーからモノクロ変換への処理フローの一例である。
【図５】受信結果レポートの出力フローの一例である。
【符号の説明】
【００５５】
１００    通信端末装置
１０１    バスライン
１０２    スキャナ
１０３    プロッタ
１０４    操作表示部
１０５    画像メモリ
１０６    パラメータメモリ
１０７    時計回路
１０８    電子メール制御部
１０９    ＲＯＭ
１１０    ＲＡＭ
１１１    キャラクタジェネレータ
１１２    符号化複合化部
１１３    ＣＰＵ
１１４    通信制御部
１１５    網制御装置
１１６    画像センサ
１１７    用紙センサ
１１８    バッテリ
【図１】
0004684095.tif 000002
【図２】
0004684095.tif 000003
【図３】
0004684095.tif 000004
【図４】
0004684095.tif 000005
【図５】
0004684095.tif 000006